(57)【要約】【課題】キャップと瓶状容器を確実に且つ安定的に保持すると共に、更に、瓶状容器を人形の如き印象を惹起させる装飾性に優れたボトルキャップ保持具を提供する。【解決手段】瓶状容器の首部へ回転自在に取り付ける円環部と、該円環部より可撓性連結片を介して延設されると共に、瓶状容器のキャップへ固定可能な固着部から成るボトルキャップ保持具において、固着部は、少なくともキャップの外周より小さな取付孔が形成され、取付孔へ圧入させたキャップを回転不能に固着する。また、固着部の取付孔の内周側には舌片が突設され、取付孔へ圧入させたキャップの外周面に前記舌片が圧接して固定される。【選択図】図３
2005008270.tif 000002
【特許請求の範囲】
【請求項１】
瓶状容器の首部へ回転自在に取り付ける円環部と、該円環部より可撓性連結片を介して延設されると共に、瓶状容器のキャップへ固定可能な固着部から成るボトルキャップ保持具において、前記固着部は、少なくともキャップの外周より小さな取付孔が形成され、該取付孔へ圧入させたキャップが回転不能に固着されることを特徴とするボトルキャップ保持具。
【請求項２】
前記固着部の取付孔の内周側には舌片が突設され、前記取付孔へ圧入させたキャップの外周面に前記舌片が圧接して固定されることを特徴とする請求項１記載のボトルキャップ保持具。
【請求項３】
前記舌片が複数形成されていることで、前記キャップが舌片間の圧接力で安定して固定されることを特徴とする請求項１または請求項２記載のボトルキャップ保持具。
【請求項４】
前記円環部、可撓性連結片、及び固着部が柔軟性を有する部材で形成されていることを特徴とする請求項１乃至請求項３記載のボトルキャップ保持具。
【請求項５】
前記夫々の部材へ装飾部を設けることで、瓶状容器に対してボトルキャップ保持具を装着した場合に、帽子状の外観を呈することを特徴とする請求項１乃至請求項４記載のボトルキャップの保持具。
【発明の詳細な説明】
【０００１】
【発明の属する技術分野】
本発明は瓶またはペットボトルのキャップ保持具に関するものであり、詳細には、瓶状容器の首部には回転可能に且つキャップには回転不能に固着することで、例えば、プラスチックボトル等の回動式のキャップの紛失防止手段と成り、且つ、瓶状容器に対してボトルキャップ保持具を装着した場合には、帽子状の外観を呈することで、恰も容器を人形の如く印象させる装飾効果に優れたボトルキャップの保持具に関するものである。
【０００２】
【従来の技術】
従来ペットボトル等の瓶状容器は、本体部とキャップを介して用意に開封・栓錠することができ、中の液体を空気に触れさせる事が少なく、携帯にも便利なため保存や携行などに広く使われている。
【０００３】
【発明が解決しようとする課題】
ところが、本来、これらの容器内の飲料は一度に消費するとは限らず、冷蔵庫や携行することもあるが、その際、キャップを外した時に手元から落ちて、キャップを紛失したり汚れることが多かった。また、紛失した場合は、キャップがないまま保存、携行しなければならず、内容物がもれたりゴミなどの混入のおそれがあり、不衛生である等の問題があった。
【０００４】
これに対して、可撓性の連結部材を介して、瓶状容器の首部へは回転自在に取り付け、一方、キャップへは固定するといったボトルキャップ保持具が古くから知られているが、従来より知られているボトルキャップ保持具は、接着等により固定していたため、例えば、キャップの外周が濡れていた場合には、固定できなくなる等の問題があった。
【０００５】
そこで本発明は、キャップと瓶状容器を確実に且つ安定的に保持すると共に、更に、瓶状容器を人形の如き印象を惹起させる装飾性に優れたボトルキャップ保持具を提供することを目的とする。
【０００６】
【発明を解決するための手段】
本発明は、上記の課題を解消するため、瓶状容器の首部へ回転自在に取り付ける円環部と、該円環部より可撓性連結片を介して延設されると共に、瓶状容器のキャップへ固定可能な固着部から成るボトルキャップ保持具において、前記固着部は、少なくともキャップの外周より小さな取付孔が形成され、該取付孔へ圧入させたキャップが回転不能に固着されることを特徴としている。
【０００７】固着部の取付孔の内周側には舌片が突設され、前記取付孔へ圧入させたキャップの外周面に前記舌片が圧接して固定される。また、この舌片は、複数形成されていることで、キャップが舌片間の圧接力で安定して固定される。
【０００８】また、本発明のボトルキャップ保持具を構成する円環部、可撓性連結片、及び固着部が柔軟性を有する部材で形成され、夫々の部材へ装飾部を設けることで、瓶状容器に対してボトルキャップ保持具を装着した場合に、帽子状の外観を呈することを特徴としている。
【０００９】
【発明の実施の形態】
以下、実施の形態を示す図面を基づき、本発明を説明する。
【００１０】
図１乃至図３は本発明の第１の実施例を示す説明図である。
図１及び図２で明らかなように、本発明に係わる瓶状容器１は、飲用容器として広く知られているプラスチックボトル等であり、首部には、回動式のキャップ２が固定されている。そして、本発明のボトルキャップ保持具は、これらの瓶状容器１に対して使用することで、瓶状容器１とキャップ２を連結させて紛失防止手段として機能する。
【００１１】
図３の平面において、本発明のボトルキャップ保持具３は、首部へ回転自在に取り付ける略円形の取付孔４ａを有する円環部４と、該円環部４より可撓性連結片５を介して延設されると共に、図１の瓶状容器１のキャップ２へ固定可能な固着部６から構成されている。
【００１２】
前記円環部４の取付孔４ａは、少なくとも容器１の首部の外周よりも若干大きな直径を有する取付孔４ａとして形成されることで、首部へ回転自在に取り付けることが可能である。
【００１３】
一方、前記円環部４より、所定の長さを有して延設された可撓性連結片５を介して設けられた固着部６は、少なくともキャップ２の外周より小さな取付孔６ａが形成され、該取付孔６ａへ圧入させたキャップ２は、回転不能に固着される。
【００１４】
より、詳細に言えば、これらの円環部４、可撓性連結片５、及び固着部６は、弾性があり且つ柔軟性を有するポリウレタン、ＥＶＡ等の部材で形成されており、固着部６の取付孔６ａの内周側には、複数、第１の実施例では、取付孔６ａの対向する部位から舌片６ｂが突設され、前記取付孔６ａへ圧入させることで、キャップ２の外周面に対して前記舌片６ｂが反り上がると共に復元力で面部に圧接して固定される。
【００１５】
上記の構成は、キャップ２の開動作あるいは閉動作を行う場合に、手の把持部として機能するので、キャップ２の着脱が容易になる等の効果も兼ね備えている。尚、この実施例の場合、予め前記舌片６ｂを下方向に向けて反らせることで、一旦、取付孔６ａを略円形状態とし、図３の如く、カーボーイハットの様にキャップ２に被冠させることができる。この場合、前記舌片６ｂは、キャップ２の外周面に沿って、筒状の装着ガイドの役割を果たすと共に、一旦、取付た後は、復元力によりキャップ２の外周面に密着して固着部６は安定的に固定される。
【００１６】
本発明のボトルキャップ保持具３は、上記の構成に加えて、更に夫々の部材へ装飾部７を設けている。この実施例では、円環部４の正面側になる部分にスカーフの様な三角形状の装飾部８と、その装飾部８の両側に腕を形取った装飾部７・７を設けることで、瓶状容器１に対してボトルキャップ保持具３を装着した場合には、前記固着部６の外側縁が帽子の鍔の如き印象を与えるようになり、全体として容器１が人物であると共にボトルキャップ保持具３が帽子状の外観を呈するよう構成されている。
【００１７】
尚、本発明の実施例では、図４の如く、前記舌片６ｂを円弧状に対向させて形成することで、図１及び図２に示す通り、装着時には、前記舌片６ｂがキャップ２の外周面に沿って上方向に反り上がると同時に、その延長上にある固着部６の外側縁が下方にやや湾曲し、これにより、よりリアル感のある帽子の外観を呈することが可能である。
【００１８】
図５乃至図７は本発明の第２の実施例を示す説明図である。
この実施例では、上記の実施例に対して、図５及び図６に図示の如く、バイザータイプの外観を呈するキャップ保持具３の例を示している。
【００１９】
また、この実施例では、上記の実施例が、対向する２つの舌片６ｂによる二点支持であったのに対して、図７に明らかな如く、３つの舌片６ｂによる三点支持により、より、強固にキャップ２に固定可能なタイプを示している。
【００２０】
より、詳細には、固着部６の取付孔６ａの内周側には、保持具３の装着時に正面方向側となる部位にやや大きめのドーム型の舌片６ｂが形成されると共に、装着時の側方向には、やや小さめの舌片６ｂが対向して形成されている。
【００２１】
また、前記ドーム型の舌片６ｂの基部には切り込み６ｃが形成されていて、これにより、キャップ２を取付孔６ａへ圧入させることで、キャップ２の外周面に対して前記夫々の舌片６ｂが反り上がると共に復元力で面部に圧接して固定される。
【００２２】
尚、この実施例では、円環部４の正面側になる部分に略Ｖ字状の装飾部１０と、その装飾部１０の両側に襟を形取った装飾部９・９を設けることで、瓶状容器１に対してボトルキャップ保持具３を装着した場合には、前記固着部６の外側縁の先端が帽子の鍔の如き印象を与えるようになり、全体として容器１が人物であると共にボトルキャップ保持具３が帽子状の外観を呈するよう構成されている。尚、実施例の各図面からも明らかであるように、前記固着部６が柔軟性を有する材質で形成されることで、キャップ２への取付時には、前記取付孔６ａの周縁部が若干幅で、キャップ２の側面に沿って変形することで、キャップ２に密着して固定されると共に、その際、とりわけ舌片６ｂは、ストッパの役割を果たして、固着部６の外側縁が、各実施例の図面の如く、帽子の鍔の様に反った状態で、経時に亘り保持されるものである。
【００２３】
本発明は、上記の実施例に限らず、デザインの変更は自由であり、様々なキャラクターとして具現することが可能である。
【発明の効果】
本発明は、上述の如く構成されたので、キャップを外した時にも、このキャップをペットボトル等の瓶状容器の本体に確実に保持でき、内容物を保存、携行することができる。また、極めて装飾性が高いことから、清涼飲料水等の宣伝媒体や宣伝効果商品として機能させることが可能であり、且つ、構造が簡素であるため、安価なコストで大量生産が可能である。また、本発明のキャップ保持具は、キャップの開動作あるいは閉動作を行う場合に、手の把持部として機能するので、キャップの着脱が容易になる等の効果も兼ね備えており、特に、舌片が滑り止めになることで、通常の硬質プラスチック製のキャップを開閉動作する場合と比較して、指に負担をかけずにこれらの動作が容易に行える等の効果を有している。
【図面の簡単な説明】
【図１】本発明の第１実施例における装着時の側面図である。
【図２】本発明の第１実施例における装着時の正面図である。
【図３】本発明の第１実施例における他の装着時の正面図である。
【図４】本発明の第１実施例の平面図である。
【図５】本発明の第１実施例における装着時の側面図である。
【図６】本発明の第１実施例における装着時の正面図である。
【図７】本発明の第１実施例の平面図である。
【符号の説明】
１  瓶状容器
２  キャップ
３  ボトルキャップ保持具
４  円環部
５  可撓性連結片
６  固着部
４ａ  取付孔
６ａ  取付孔
６ｂ  舌片
７  装飾部
８  装飾部
９  装飾部
１０  装飾部
【図１】
2005008270.tif 000003
【図２】
2005008270.tif 000004
【図３】
2005008270.tif 000005
【図４】
2005008270.tif 000006
【図５】
2005008270.tif 000007
【図６】
2005008270.tif 000008
【図７】
2005008270.tif 000009